(57)【特許請求の範囲】
【請求項１】
略中央部分に対して両端縁が傾斜状に立ち上がる高強度部分を有し、且つ施工状態において棟側に配設される一方の端縁から、軒側に配設される他方の端縁に向かって低くなるように形成された横葺き屋根材を配設してなり、さらに横葺き屋根材の棟側の端縁には、軒側方向に延在して下方に向かう下側重合部を形成し、軒側の端縁には、軒側方向に延在して下段の横葺き屋根材の下側重合部に重合すると共に、その軒端が下段の横葺き屋根材の高強度部分上に臨む上側重合部を形成してなることを特徴とする横葺き屋根。
【請求項２】
横葺き屋根材の高強度部分は、軒側から順に屋根板面、裏面が下地構造材に支持される屋根傾斜面、立上り面の三面からなることを特徴とする請求項１に記載の横葺き屋根。
【請求項３】
横葺き屋根材の高強度部分は、軒側から順に屋根板面、立上り面の二面からなることを特徴とする請求項１に記載の横葺き屋根。
【請求項４】
横葺き屋根材の高強度部分は、屋根板面から立上り面まで連続する凹状曲面で形成されてなることを特徴とする請求項２又は３に記載の横葺き屋根。
【請求項５】
上側重合部に水切り片を延設したことを特徴とする請求項１〜４の何れか一項に記載の横葺き屋根。
【請求項６】
請求項１に記載の横葺き屋根材を配設してなる横葺き屋根の施工方法であって、下段の横葺き屋根材の高強度部分を足がかりとして隣接する上段の横葺き屋根材を用意し、下段の横葺き屋根材の下側重合部に上段の横葺き屋根材の上側重合部が重合するように配設することを特徴とする横葺き屋根の施工方法。
【発明の詳細な説明】
【０００１】
【発明の属する技術分野】
本発明は、発電所建物のような大型建築物等の屋根、特に急勾配、且つ大規模な屋根や多角錘形屋根等に適した横葺き屋根及びその施工方法に関する。
【０００２】
【従来の技術】
従来より屋根葺き工法としては、折板縦葺き、段葺き（横葺き）、瓦棒葺き、溶接工法等、多種多様の施工法が知られ、これらに用いられる屋根材についても各種のものが提案されている。
【０００３】
【発明が解決しようとする課題】
しかしながら、例えば従来の屋根葺き工法では、折板縦葺き以外は何れも屋根部材の面外方向の曲げ強度が小さく、そのため下地構造材との密な接合が必要となり、下地構造材としての母屋、垂木が多数必要であった。また、取付箇所が多数あるため、屋根工事に要する労力、時間が多くかかり、コストが高くなっていた。
折板縦葺きとした場合には、屋根材である折板自体の曲げ強度が大きいため、接合間隔を広くすることが可能であり、下地構造材は簡素化できるものの、多角錘型の屋根にこれを適用した場合、下り棟部分の折板を細長く斜めにカットする必要があるため、加工が困難で、しかも残材が多量に生じてコストアップを招くものであった。
さらに、急勾配の屋根に従来の工法を適用すると、施工面に足がかりが無いため施工者が屋根面に立てず、作業性が悪かった。また、安全性確保のための仮設が大がかりになっていた。
【０００４】
また、特開昭６２−１０７１４７号公報には、底部に対して両端縁が傾斜状に立ち上がる形状の折板を用いた横葺き屋根が記載されている。しかしこの横葺き屋根は、屋根材の接続をキャップ材を介して行うものであり、屋根材の底部裏面及び傾斜面裏面を受金具で支持するものであって、さらに各屋根材の底部が溝（谷）状になって傾斜勾配に沿う水流れが阻害され、ケラバ（妻側）方向に雨水を導いて流下させる構成である。そのため、作業が極めて面倒であり、降雨量が多い場合には雨水の溜まりが生じてキャップ材と屋根材との間から浸水を生じ易いものであった。
【０００５】
【課題を解決するための手段】
本発明は前記事情に鑑み提案されたもので、略中央部分に対して両端縁が傾斜状に立ち上がる高強度部分を有し、且つ施工状態において棟側に配設される一方の端縁から、軒側に配設される他方の端縁に向かって低くなるように形成された横葺き屋根材を配設してなり、さらに棟側の端縁には、軒側方向に延在して下方に向かう下側重合部を形成し、軒側の端縁には、軒側方向に延在して下段の横葺き屋根材の下側重合部に重合すると共に、その軒端が下段の横葺き屋根材の高強度部分上に臨む上側重合部を形成してなることを特徴とする横葺き屋根に関するものである。
【０００６】
【発明の実施の形態】
本発明の横葺き屋根を説明するに当たり、従来の「段葺き」（横葺き）用の屋根材も水平方向に長尺な屋根材を上下に重ね合わせるものであるため、本発明における横葺き屋根材とこの従来の段葺き（横葺き）屋根材（以下、比較のため、段葺き屋根材と記す）について以下に類似点及び相違点を記載する。
【０００７】
〔１．原材料〕
・横葺き屋根材：
ロールフォーミングやベンダー等により成形する素材としては被覆鉄板、アルミ板、ステンレス板等の金属板を用いる。厚さは０．６〜１．２ｍｍ程度が適する。また、アルミ射出材等の金属類、各種樹脂成形体、セメント系成形体、ガラス、セラミック、木質系等どのようなものでも良い。
・段葺き屋根材：
被覆鉄板、アルミ板、ステンレス板等の金属板を用いる。厚さは０．４〜０．８ｍｍ程度が一般的である。
【０００８】
〔２．雨水処理に関する形状〕
・横葺き屋根材：
棟側端部を水返し、軒側端部を水切りとして軒方向に雨水を流す形状である。
・段葺き屋根材：
棟側端部を水返し、軒側端部を水切りとして軒方向に雨水を流す形状である。
【０００９】
〔３．強度に関する形状〕
・横葺き屋根材：
材料自体に高い曲げ強度を持たせるため、曲げ荷重時の面内挫屈が起きやすくない程度の深さで山と谷を構成する断面形状である。
（断面性能の例）
幅７６２ｍｍ、厚さ０．８ｍｍの亜鉛メッキ鋼板（長尺平板）を用いて作製した横葺き屋根材の強度性能はおよそ以下の通りである。
断面２次モーメント；１９０ｃｍ４  ／ｍ
断面係数          ；２０ｃｍ３  ／ｍ
設計風圧力を５００ｋｇ／ｍ２  とした場合の支持間隔；約２ｍ
・段葺き屋根材：
材料自体の強度は期待せず、荷重負担は野地板、垂木（竪母屋）とするために、平らに近い断面形状である。
（断面性能の例）
段葺き屋根板としては比較的強度の大きな「ダンカクルーフ２６０板厚０．５ｍｍ」の強度性能はおよそ以下の通りである。
断面２次モーメント；３．３３ｃｍ４  ／ｍ
断面係数          ；１．７６ｃｍ３  ／ｍ
設計風圧力を５００ｋｇ／ｍ２  とした場合の支持間隔；約５５０ｍｍ
【００１０】
以上のように本発明に用いる横葺き屋根材と段葺き（横葺き）屋根材は雨仕舞いの点で類似しているが、強度に関しては各々の材料は異なる設計思想から発案されたものであり、実際に強度性能は全く異なるものである。したがって、本発明に用いる横葺き屋根材は段葺き（横葺き）に用いる屋根材とは明確に区別されるべきものである。
【００１１】
本発明に用いる横葺き屋根材１は、前記のように従来の段葺き屋根材と異なるものであり、図１に示すように、概略すると、高強度部分１１と、下側重合部１２と、上側重合部１３とを備えてなり、高強度部分１１は略中央部分に対して両端縁が傾斜状に立ち上がる構成である。
【００１２】
横葺き屋根材１の高強度部分１１は、シェル構造の原理による面外方向への曲げ剛性、及び強度を持たせたものであり、単独で取り扱う際も重ね合わせた際も挫屈等を生じることがなく、多種の断面形状がバリエーションとして考えられる。以下に代表的な例を図示実施例により説明する。
図２に示す例は、図１の横葺き屋根材１を施工したものであり、横葺き屋根材１の高強度部分１１が、軒側から順に屋根板面１１１、裏面が下地構造材２に支持される屋根傾斜面１１２、立上り面１１３の三面から構成されている。
図３に示す例は、横葺き屋根材１の高強度部分１１が、軒側から順に屋根板面１１１、立上り面１１３の二面から構成されている。
図４に示す例は、横葺き屋根材１の高強度部分１１が、屋根板面から立上り面まで連続する曲面で構成されている。
また、具体的には図示しないが、上記三種を適宜に組み合わせた断面形状としても良い。
尚、各例の施工状態における屋根板面１１１は、軒側に下り傾斜する水勾配を有し、屋根板面１１１に雨水や埃が溜まらない角度としている。それより傾斜の深い屋根傾斜面１１２及び立上り面１１３も同様である。
また、図２〜４にはそれぞれ一つの高強度部分１１が形成される構成としたが、複数の高強度部分を連続させた構成、複数の谷と山が連続するような形状構成としても良い。
【００１３】
横葺き屋根材１の棟側の端縁に形成される下側重合部（水返し部）１２は、軒側方向に延在して下方に向かう構成で、軒側の端縁に形成される上側重合部（水切り部）１３は、軒側方向に延在して下段の横葺き屋根材１の下側重合部１２に重合すると共に、その軒端が下段の横葺き屋根材１の高強度部分１１上に臨む構成である。尚、図示実施例の上側重合部１３の先端には水切り片１３１が延設され、屋根勾配と逆方向の吹き上げ等に際しても雨水の浸入を防止すると共に、上側重合部１３が下側重合部１２を嵌合状に覆うことになるので、横葺き屋根材１の敷設の位置決めが容易となるという役割も果たす。
【００１４】
このような構成の横葺き屋根材１としては、厚さ０．６〜１．２ｍｍ程度の被覆鉄板、アルミ板、ステンレス板等の金属板をロールフォーミング成形機、ベンダーによる加工によって成形したものでも良いし、それ以外にも、アルミ射出材、鋼材熱間成形（ロール）材等の金属類でも良いし、ポリカーボネート、その他の合成樹脂、繊維補強プラスチック（ＦＲＰ）類でも良いし、押出成形セメント板、フレキシブルボード、プレキャストコンクリート板、ＧＲＣ板等のセメント系成形体でも良いし、ガラス、セラミックでも良いし、合板、木片セメント板等の木質系でも良い。
【００１５】
図２〜４に示す横葺き屋根は、前記構成の横葺き屋根材１を吊子３により下地構造材２に固定した構造であり、下端（固定部３１）を鉄骨等の下地構造材２に溶接、或いはボルト類で固定した吊子３の上端（支持部３２）を、上段側の横葺き屋根材１の上側重合部１３と下段側の横葺き屋根材１の下側重合部１２との間に介在させ、ボルト類で貫通して固定する。言い換えれば横葺き屋根材１の重合部１２，１３で吊子３の支持部３２を挟み込み、一連にボルト類で貫通する。吊子３の支持部３２は、横葺き屋根材１の屋根面部１１１と略平行状であり、軒側に下り傾斜している。同様に、さらに上段側の吊子３の固定、及び横葺き屋根材１の敷設を行い、階段状の屋根面を形成する。
【００１６】
施工状態において重ね合わされる横葺き屋根材１の上側重合部１３、下側重合部１２は、軒側が下り傾斜する面で構成され、しかも水切り構成、水返し構成となっているので、雨水が浸入しにくい構造である。
また、横葺き屋根材１は前述のようにそれ自体が面外方向への曲げ剛性、及び強度を有しているが、施工状態では軒棟方向に隣接する横葺き屋根材１と重合部１２，１３が重ね合わされて接合して屋根面を形成しているので、当該屋根面は極めて曲げ変形時の横挫屈に対する抗力を有するものとなる。
【００１７】
このように施工される本発明の横葺き屋根では、用いる横葺き屋根材１が、従来の段葺き、瓦棒葺き、溶接工法に用いられる金属板に比べて板厚が厚く、面外方向の曲げ剛性及び強度が高いので、下地構造材２との接合箇所を低減することができ、接合に関わる物品数も少なくて良い。そのため、屋根工事に要する労力や時間が少なくて良いので、コストダウンが図れる。さらに、施工した屋根自体が足がかりとなるため、下段側から順に施工することにより、施工の安全性も高いものとなる。
【００１８】
また、本発明の横葺き屋根は、階段状の断面形状により水平方向の陰影が鮮明に現れ、独特の意匠性を発揮するものとなる。
さらに、傾斜勾配に沿う水流れが形成されるので、雨仕舞い性が優れたものとなる。
特に図示実施例の横葺き屋根材１の上側重合部１３には、水切り片１３１を形成したので、屋根勾配と逆方向の吹き上げ風力が作用しても、雨水の浸入を防止することができ、より一層高い雨仕舞い性を有するものとなる。
【００１９】
尚、前記図２〜４の横葺き屋根では、吊子３を用いて横葺き屋根材１を下地構造材２に固定したが、この下地構造材２との接合方法については特にこれに限定するものではなく、以下に示す図示実施例のようにしても良い。
前記図２〜４の吊子３に代えて図５に示すようなタイトフレーム４を用いて横葺き屋根材１を固定する。このタイトフレーム４は、下地構造材２に対する固定部４１，４１を棟側及び軒側に有し、下地構造材２に強固に固定され、支持部４２は吊子３の支持部３２と同様に、横葺き屋根材１の重合部１２，１３で挟み込まれて一連にボルト類を貫通される。また、このタイトフレーム４は、屋根面の形状と略等しい三角形状の裏面支持部４３を有し、屋根面部１１１及び下段側の立上り面１１３の裏面を支持するので、正荷重に対する耐性がより高いものとなる。
また、図６及び図７に示すように吊子３やタイトフレーム４を用いずに、屋根傾斜面１１２と下地構造材２とを直接ボルト類で固定するようにしても良い。但しこの場合、ボルト穴からの漏水等を防止するため、止水材（図示せず）等を用いる必要がある。図６の例は吊子３やタイトフレーム４を用いない以外は、前記図２や図５と同様であるが、図７の例は重合部１２，１３をボルト類を用いずにハゼ止めしたものである。このようなハゼ止めは、吊子３やタイトフレーム４を用いる図２や図５に適用しても良い。
【００２０】
次に、本発明の横葺き屋根を多角錘型の屋根に適用する場合の水平方向に隣り合う横葺き屋根材の接合部（下り棟）の処理方法の例を図示実施例に基づいて説明する。
【００２１】
図８に示す例は、裏面側に樋８を配設して左右に隣り合う横葺き屋根材１，１の水平方向端縁を水密に接続した構成であり、溶接技術等に問題がなければ漏水等の問題を生ずることはない。
【００２２】
図９に示す例は、下り棟用面戸５、下り棟用カバー材６を用いる方法である。
横葺き屋根材１の水平方向両端部に下り棟用面戸５を取り付ける。下り棟用面戸５には、その上端にカバー材取付部を形成した立上り部５１を設けておく。この立上り部５１は横葺き屋根材１の棟軒方向の接続を阻害しない構造としておく。そして、下り棟に臨む左右の屋根面を構成した後、左右の下り棟用面戸５の立上り部５１に形成したカバー材取付部に下り棟用カバー材６を取り付ける。カバー材取付部及び下り棟用カバー材６の取付構造については、水密に取り付けられるものであれば特に限定するものではない。
【００２３】
図１０に示す例は、下り棟用裏面戸７、下り棟用谷樋８を用いる方法である。
下り棟の下地構造材２上に下り棟用谷樋８を設置する。下り棟用裏面戸７の下端には、水切り部７１を設けておく。そして、横葺き屋根材１を敷設しながらその水平方向両端部の裏面空間を閉塞するように下り棟用裏面戸７を水密に取付け、その水切り部７１が下り棟用谷樋８の内部に臨むようにする。
【００２４】
図１１０に示す例は、下り棟用木口ブロック９を用いる方法である。
繊維補強モルタル（ＧＲＣ等）、合成樹脂等の材料を使い、横葺き屋根材１の裏側の木口に合わせたブロック９を製作し、これを下り棟の横葺き屋根材１の木口部分に設置しながら、屋根面を施工する。この下り棟用木口ブロック９は雨水の浸入を防ぐため、瓦状に重ね合わせられる形状とする。そして、下り棟用木口ブロック９に横葺き屋根材１を重ね合わせながら屋根面を施工する。
【００２５】
以上本発明を図面の実施の形態に基づいて説明したが、本発明は前記実施の形態に限定されるものではなく、特許請求の範囲に記載の構成を変更しない限りどのようにでも実施することができる。
【００２６】
【発明の効果】
以上要するに本発明の横葺き屋根は、従来の段葺き、瓦棒葺き、溶接工法に用いられる金属板に比べて板厚が厚く、面外方向の曲げ剛性及び強度が高い横葺き屋根材を用いるので、下地構造材との接合箇所を低減することができ、接合に関わる物品数も少なくて良い。そのため、屋根工事に要する労力や時間が少なくて良いので、コストダウンを図ることができる。さらに、施工した屋根自体が足がかりとなるため、下段側から順に施工することにより、施工の安全性も高いものとなる。
また、本発明の横葺き屋根では、階段状の断面形状により水平方向の陰影が鮮明に現れ、独特の意匠性を発揮するものとなる。
さらに、本発明の横葺き屋根では、傾斜勾配に沿う水流れが形成されるので、雨仕舞い性が優れたものとなる。
さらに、横葺き屋根材の上側重合部に水切り片を延設すると、前記雨仕舞性がより一層向上する。
【図面の簡単な説明】
【図１】本発明に用いる横葺き屋根材の一例を示す斜視図である。
【図２】図１の横葺き屋根材を用いた横葺き屋根の一実施例を示す側断面図である。
【図３】横葺き屋根の他の一実施例を示す側断面図である。
【図４】横葺き屋根の他の一実施例を示す側断面図である。
【図５】横葺き屋根の他の一実施例を示す側断面図である。
【図６】横葺き屋根の他の一実施例を示す側断面図である。
【図７】横葺き屋根の他の一実施例を示す側断面図である。
【図８】横葺き屋根における下り棟の処理方法の一例を示す斜視図である。
【図９】横葺き屋根における下り棟の処理方法の他の一例を示す側断面図である。
【図１０】横葺き屋根における下り棟の処理方法の他の一例を示す側断面図である。
【図１１】横葺き屋根における下り棟の処理方法の他の一例を示す側断面図である。
【符号の説明】
１  横葺き屋根材
１１  高強度部分
１１１  屋根板面
１１２  屋根傾斜面
１１３  立上り部
１２  下側重合部
１３  上側重合部
２  下地構造材
３  吊子
４  タイトフレーム
【図１】
0003628177.tif 000002
【図２】
0003628177.tif 000003
【図３】
0003628177.tif 000004
【図４】
0003628177.tif 000005
【図５】
0003628177.tif 000006
【図６】
0003628177.tif 000007
【図７】
0003628177.tif 000008
【図８】
0003628177.tif 000009
【図９】
0003628177.tif 000010
【図１０】
0003628177.tif 000011
【図１１】
0003628177.tif 000012